(57)【特許請求の範囲】
【請求項１】
リレー巻線を励磁することで電源から負荷への給電経路に挿入される主接点を開閉し且つ主接点に連動する補助接点によりリレー巻線の通電方向を切り換えるリモコンリレーと、リレー巻線に交流電流を供給する電源装置と、手動で操作可能な操作部を有し操作部の操作に応じてリレー巻線に励磁電流を流すスイッチ装置とを備えた負荷制御システムに用いられ、電源装置からリレー巻線への通電方向並びにリレー巻線の励磁電流を検出する検出手段と、リレー巻線に励磁電流を流してリモコンリレーを駆動する駆動手段と、検出手段の検出結果に基づいてリレー巻線に励磁電流を流すように駆動手段を制御する制御手段とを具備することを特徴とする負荷制御システムの機能追加装置。
【請求項２】
制御手段は、スイッチ装置によってリレー巻線に励磁電流を流して電源から負荷への給電が開始された時点から所定のオン時間が経過した後に駆動手段を制御してリレー巻線に励磁電流を流すことで電源から負荷への給電を停止する一時オン動作を行うことを特徴とする請求項１記載の負荷制御システムの機能追加装置。
【請求項３】
制御手段は、電源から負荷への給電中にスイッチ装置によってリレー巻線に励磁電流を流す操作が行われた場合に励磁電流がリレー巻線に流れるのを阻止し、スイッチ装置で上記操作が行われた時点から所定の遅れ時間が経過した後に駆動手段を制御してリレー巻線に励磁電流を流して電源から負荷への給電を停止する遅れオフ動作を行うことを特徴とする請求項１又は２記載の負荷制御システムの機能追加装置。
【請求項４】
制御手段は、スイッチ装置によってリレー巻線に励磁電流を流して電源から負荷への給電が開始された時点から所定のオン時間が経過した後に駆動手段を制御してリレー巻線に励磁電流を流すことで電源から負荷への給電を停止する一時オン動作と、電源から負荷への給電中にスイッチ装置によってリレー巻線に励磁電流を流す操作が行われた場合に励磁電流がリレー巻線に流れるのを阻止し、スイッチ装置で上記操作が行われた時点から所定の遅れ時間が経過した後に駆動手段を制御してリレー巻線に励磁電流を流して電源から負荷への給電を停止する遅れオフ動作との何れか一方が実行可能であって、制御手段が行う動作を、一時オン動作又は遅れオフ動作に選択して設定する選択手段を備えたことを特徴とする請求項１記載の負荷制御システムの機能追加装置。
【請求項５】
オン時間又は遅れ時間を可変して設定する時間設定手段を備えたことを特徴とする請求項２又は３又は４記載の負荷制御システムの機能追加装置。
【請求項６】
駆動手段は、電源装置から供給される電流を励磁電流とすることを特徴とする請求項１〜５の何れかに記載の負荷制御システムの機能追加装置。
【請求項７】
励磁電流を供給してリモコンリレーを駆動するための駆動電源を備えたことを特徴とする請求項１〜５の何れかに記載の負荷制御システムの機能追加装置。
【請求項８】
各手段を納装する器体に、リレー巻線への通電経路と接続されたリモコンリレーの信号端子に直接接続されるリレー側端子部、並びにスイッチ装置が接続されるスイッチ側端子部を設けたことを特徴とする請求項１〜７の何れかに記載の負荷制御システムの機能追加装置。
【請求項９】
リモコンリレーのケースに形成された段部と係合する係合部を器体に設けたことを特徴とする請求項８記載の負荷制御システムの機能追加装置。
【請求項１０】
各手段を納装する器体を、規格化された分電盤協約寸法に形成したことを特徴とする請求項１〜７の何れかに記載の負荷制御システムの機能追加装置。
【請求項１１】
各手段を納装する器体を、規格化された大角形連用配線器具の取付枠に取付可能としたことを特徴とする請求項１〜７の何れかに記載の負荷制御システムの機能追加装置。
【請求項１２】
各手段を納装する器体の表面に選択手段の操作部を露設したことを特徴とする請求項４又は８又は１０又は１１記載の負荷制御システムの機能追加装置。
【請求項１３】
各手段を納装する器体の表面に時間設定手段の操作部を露設したことを特徴とする請求項５又は８又は１０又は１１記載の負荷制御システムの機能追加装置。
【発明の詳細な説明】
【０００１】
【発明の属する技術分野】
本発明は、リモコンリレーを用いて負荷への通電をオン・オフする負荷制御システムに用いられ、このシステムに新たな機能を追加するための機能追加装置に関するものである。
【０００２】
【従来の技術】
従来、ラッチング型のリモコンリレーを用いて負荷への通電をオン・オフする負荷制御システムとして、図３４に示すようにリレー巻線Ｌ０を励磁することで商用電源ＡＣから負荷（例えば、照明負荷）Ｌへの給電経路に挿入される主接点ｒ０を開閉し且つ主接点ｒ０に連動する補助接点ｒ１によりリレー巻線Ｌ０の通電方向を切り換えるリモコンリレーＲＲと、リレー巻線Ｌ０に交流電流を供給する電源装置たるリモコントランスＲＴと、手動で操作可能な操作部を有し操作部の操作に応じてリレー巻線Ｌ０に励磁電流を流すスイッチ装置Ｓとを有するシステム構成のものが提供されている。但し、リモコンリレーＲＲ、リモコントランスＲＴ並びにスイッチ装置Ｓの具体的な構成については従来周知であるから詳しい説明は省略する。
【０００３】
ここで、上記従来システムの動作を簡単に説明する。
【０００４】
図３４は主接点ｒ０がオフ、つまり負荷Ｌがオフ（消灯）している状態を示している。このオフ状態では、リモコンリレーＲＲの補助接点ｒ１がダイオードＤｂ側に切り換わっており、リモコントランスＲＴ→ダイオードＤｂ→リレー巻線Ｌ０→スイッチ装置Ｓの接点ｒ２→発光ダイオードＬＤ１及びコンデンサＣ１→リモコントランスＲＴの経路で電流Ｉ１が流れて発光ダイオードＬＤ１が点灯し、負荷Ｌがオフであることを表示している。なお、このときに流れる電流Ｉ１は発光ダイオードＬＤ１を点灯するに十分であって、リレー巻線Ｌ０を励磁してリモコンリレーＲＲを駆動する励磁電流よりも小さい微少な電流である。
【０００５】
このオフ状態からスイッチ装置Ｓの操作部を押操作して接点ｒ２を切り換えると、図３５に示すようにコンデンサＣ１の充電電荷が発光ダイオードＬＤ１を介して第１のサイリスタＳＲ１のゲートに放電されるため、第１のサイリスタＳＲ１がターンオンし、リモコントランスＲＴ→ダイオードＤｂ→リレー巻線Ｌ０→スイッチ装置Ｓの接点ｒ２→第１のサイリスタＳＲ１→リモコントランスＲＴの経路で電流Ｉ２が流れる。すなわち、この電流Ｉ２はリレー巻線Ｌ０を励磁するのに十分な大きさであるから、リモコンリレーＲＲが動作して主接点ｒ０が閉じると同時に補助接点ｒ１がダイオードＤａ側に反転して負荷Ｌがオン（点灯）する。なお、操作部の押操作を継続して接点ｒ２が切り換わったままであっても、コンデンサＣ１の放電後にはコンデンサＣ１から第１のサイリスタＳＲ１のゲートへの経路に電流が流れないため、第１のサイリスタＳＲ１は瞬時にしかオンせず、リモコンリレーＲＲのばたつきは生じない。
【０００６】
一方、補助接点ｒ２が反転すると、図３６に示すようにリモコントランスＲＴ→スイッチ装置ＳのトランジスタＴｒ１→発光ダイオードＬＤ２→接点ｒ２→リレー巻線Ｌ０→ダイオードＤａ→リモコントランスＲＴの経路で電流Ｉ３が流れて発光ダイオードＬＤ２が点灯し、負荷Ｌがオンであることを表示している。また、リモコントランスＲＴ→コンデンサＣ１→接点ｒ２の経路で流れる電流でコンデンサＣ１が充電される。なお、このオン状態で流れる電流Ｉ３も発光ダイオードＬＤ２を点灯するのに十分であって、リレー巻線Ｌ０を励磁してリモコンリレーＲＲを駆動する励磁電流よりも小さい微少な電流である。
【０００７】
さらに、このオン状態からスイッチ装置Ｓの操作部を押操作して接点ｒ２を切り換えると、図３７に示すようにコンデンサＣ１の充電電荷が発光ダイオードＬＤ２を介して放電され、この放電電流によってトランジスタＴｒ１が導通して第２のサイリスタＳＲ２のゲートにコレクタ電流が流れるため、第２のサイリスタＳＲ２がターンオンし、リモコントランスＲＴ→第２のサイリスタＳＲ２→接点ｒ２→リレー巻線Ｌ０→ダイオードＤａ→リモコントランスＲＴの経路で電流Ｉ４が流れる。この電流Ｉ４はリレー巻線Ｌ０を励磁するのに十分な大きさであるから、リモコンリレーＲＲが動作して主接点ｒ０が開くと同時に補助接点ｒ１がダイオードＤｂ側に反転して負荷Ｌがオフ（消灯）する。
【０００８】
【発明が解決しようとする課題】
ところで、上記従来システムにおいては、スイッチ装置Ｓを操作して負荷Ｌをオン（点灯）した時点から所定のオン時間が経過した後に自動的に負荷Ｌをオフ（消灯）する一時動作（一時点灯）や、負荷Ｌのオン（点灯）中にスイッチ装置Ｓが操作された場合にスイッチ装置Ｓが操作された時点から所定の遅れ時間が経過するまで負荷Ｌをオン（点灯）し続け、遅れ時間が経過した時点で自動的に負荷Ｌをオフ（消灯）する遅れオフ動作（遅れ消灯）を実現することができなかった。つまり、上記一時動作や遅れオフ動作の機能を実現するためには、スイッチ装置Ｓに代えて上記機能を有する別の装置を用いる必要があった。また、上記従来システムでは１つのスイッチ装置Ｓにより１つのリモコンリレーＲＲを制御する構成を例示したが、１つのスイッチ装置で複数のリモコンリレーＲＲを制御する構成も提供されており、このような構成では１つのリモコンリレーＲＲ（１回路）のみに一時動作や遅れオフ動作の機能を追加することが困難な場合が多々ある。
【０００９】
本発明は上記事情に鑑みて為されたものであり、その目的とするところは、従来の負荷制御システムに新たな機能を簡単に追加することができる負荷制御システムの機能追加装置を提供することにある。
【００１０】
【課題を解決するための手段】
請求項１の発明は、上記目的を達成するために、リレー巻線を励磁することで電源から負荷への給電経路に挿入される主接点を開閉し且つ主接点に連動する補助接点によりリレー巻線の通電方向を切り換えるリモコンリレーと、リレー巻線に交流電流を供給する電源装置と、手動で操作可能な操作部を有し操作部の操作に応じてリレー巻線に励磁電流を流すスイッチ装置とを備えた負荷制御システムに用いられ、電源装置からリレー巻線への通電方向並びにリレー巻線の励磁電流を検出する検出手段と、リレー巻線に励磁電流を流してリモコンリレーを駆動する駆動手段と、検出手段の検出結果に基づいてリレー巻線に励磁電流を流すように駆動手段を制御する制御手段とを具備することを特徴とし、検出手段で検出するリレー巻線への通電方向並びにリレー巻線の励磁電流の検出結果に基づき、制御手段が駆動手段を制御してリレー電流に励磁電流を流すため、スイッチ装置によらずに負荷への給電を停止したり、あるいはスイッチ装置の操作のタイミングと実際に負荷への給電を開始又は停止するタイミングとをずらすといったような新たな機能を、従来の負荷制御システムに簡単に追加することができる。
【００１１】
請求項２の発明は、請求項１の発明において、制御手段は、スイッチ装置によってリレー巻線に励磁電流を流して電源から負荷への給電が開始された時点から所定のオン時間が経過した後に駆動手段を制御してリレー巻線に励磁電流を流すことで電源から負荷への給電を停止する一時オン動作を行うことを特徴とし、従来の負荷制御システムに一時オン動作の機能を簡単に追加することができる。
【００１２】
請求項３の発明は、請求項１又は２の発明において、制御手段は、電源から負荷への給電中にスイッチ装置によってリレー巻線に励磁電流を流す操作が行われた場合に励磁電流がリレー巻線に流れるのを阻止し、スイッチ装置で上記操作が行われた時点から所定の遅れ時間が経過した後に駆動手段を制御してリレー巻線に励磁電流を流して電源から負荷への給電を停止する遅れオフ動作を行うことを特徴とし、従来の負荷制御システムに遅れオフ動作の機能を簡単に追加することができる。
【００１３】
請求項４の発明は、請求項１の発明において、制御手段は、スイッチ装置によってリレー巻線に励磁電流を流して電源から負荷への給電が開始された時点から所定のオン時間が経過した後に駆動手段を制御してリレー巻線に励磁電流を流すことで電源から負荷への給電を停止する一時オン動作と、電源から負荷への給電中にスイッチ装置によってリレー巻線に励磁電流を流す操作が行われた場合に励磁電流がリレー巻線に流れるのを阻止し、スイッチ装置で上記操作が行われた時点から所定の遅れ時間が経過した後に駆動手段を制御してリレー巻線に励磁電流を流して電源から負荷への給電を停止する遅れオフ動作との何れか一方が実行可能であって、制御手段が行う動作を、一時オン動作又は遅れオフ動作に選択して設定する選択手段を備えたことを特徴とし、従来の負荷制御システムに一時オン動作又は遅れオフ動作の機能を簡単に追加することができるとともに、１台で一時オン動作又は遅れオフ動作を選択して行うことができるために使い勝手が向上する。
【００１４】
請求項５の発明は、請求項２又は３又は４の発明において、オン時間又は遅れ時間を可変して設定する時間設定手段を備えたことを特徴とし、用途や使用状況に応じて適切なオン時間又は遅れ時間を設定することができるために使い勝手が向上する。
【００１５】
請求項６の発明は、請求項１〜５の何れかの発明において、駆動手段は、電源装置から供給される電流を励磁電流とすることを特徴とし、従来の電源装置を利用することで新たな電源の追加が不要になる。
【００１６】
請求項７の発明は、請求項１〜５の何れかの発明において、励磁電流を供給してリモコンリレーを駆動するための駆動電源を備えたことを特徴とし、別途電源を接続する必要がないから端子構造等の簡素化が図れる。
【００１７】
請求項８の発明は、請求項１〜７の何れかの発明において、各手段を納装する器体に、リレー巻線への通電経路と接続されたリモコンリレーの信号端子に直接接続されるリレー側端子部、並びにスイッチ装置が接続されるスイッチ側端子部を設けたことを特徴とし、リモコンリレーの設置場所に配設する際にスペースを効率的に利用することができる。また、スイッチ装置が多回路用の場合であっても任意の１回路に簡単に機能を追加することができる。
【００１８】
請求項９の発明は、請求項８の発明において、リモコンリレーのケースに形成された段部と係合する係合部を器体に設けたことを特徴とし、リモコンリレーのケースに対する器体のがたつきを防ぐことができる。
【００１９】
請求項１０の発明は、請求項１〜７の何れかの発明において、各手段を納装する器体を、規格化された分電盤協約寸法に形成したことを特徴とし、リモコンリレーとともにリレー制御盤に配設することができ、スイッチ装置が多回路用の場合であっても任意の１回路に簡単に機能を追加することができる。
【００２０】
請求項１１の発明は、請求項１〜７の何れかの発明において、各手段を納装する器体を、規格化された大角形連用配線器具の取付枠に取付可能としたことを特徴とし、例えば、スイッチ装置が大角形連用配線器具の取付枠に取付可能であれば、スイッチ装置とともに取付枠に取り付けて施工することができ、施工作業が容易になるとともにスペースを効率的に利用することができる。
【００２１】
請求項１２の発明は、請求項４又は８又は１０又は１１の発明において、各手段を納装する器体の表面に選択手段の操作部を露設したことを特徴とし、選択手段の操作部が操作し易くなる。
【００２２】
請求項１３の発明は、請求項５又は８又は１０又は１１各手段を納装する器体の表面に時間設定手段の操作部を露設したことを特徴とし、時間設定手段の操作部が操作し易くなる。
【００２３】
【発明の実施の形態】
以下、図面を参照して本発明の実施形態を詳細に説明する。なお、リモコンリレーＲＲ、リモコントランスＲＴ並びにスイッチ装置Ｓは従来と同一のものであるから詳しい説明並びに図示は省略する。また、以下の各実施形態においては負荷として照明負荷を例示するが、負荷の種類が照明負荷に限定されるものではない。
【００２４】
（実施形態１）
図１は本実施形態の機能追加装置（一時点灯・遅れ消灯アダプタ）Ａ１を示すブロック図であり、図２は本実施形態を含む負荷制御システムのシステム構成の一例を示す構成図である。すなわち、図２に示すように機能追加装置Ａ１は、従来のシステム構成に対してリモコンリレーＲＲとリモコントランスＲＴ及びスイッチ装置Ｓとの間に挿入され、リモコントランスＲＴから供給される交流電流を励磁電流としてリモコンリレーＲＲを駆動することにより、一時点灯並びに遅れ消灯の機能を追加するものである。
【００２５】
機能追加装置Ａ１は、図１に示すようにリモコントランスＲＴからリレー巻線ｒ０への通電方向並びにリレー巻線ｒ０の励磁電流を検出する電流検出部１と、リレー巻線ｒ０に励磁電流を流してリモコンリレーＲＲを駆動するリモコンリレー駆動部２と、電流検出部１の検出結果に基づいてリレー巻線ｒ０に励磁電流を流すようにリモコンリレー駆動部２を制御する制御部３と、制御部３によりトリガされて時間をカウントするタイマ部４と、制御部３が行う動作を、一時点灯と遅れ消灯の何れか一方に選択して設定する機能選択部５と、リモコントランスＲＴから供給される交流電力から各部の動作電源を作成して供給する電源回路部６と、後述するオン時間並びに遅れ時間を可変して設定する時間設定部７とを具備する。また、電流検出部１にはリレー側端子部の一対の端子Ｔ４，Ｔ５を介してリモコンリレーＲＲの信号端子Ｔａ，Ｔｂが接続され、リモコンリレー駆動部２にはスイッチ側端子部の３つの端子Ｔ１，Ｔ２，Ｔ３を介してスイッチ装置Ｓの接続端子Ｔｍ，Ｔｎ並びにリモコントランスＲＴの出力端子Ｔｏ，Ｔｏがそれぞれ接続される（図２参照）。
【００２６】
電流検出部１は、図３に示すように端子Ｔ４，Ｔ５とリモコンリレー駆動部２とを接続する信号線Ｌａ，Ｌｂに流れる電流をダイオードＤ５，Ｄ６を介して取り込む検出回路１ａと、一方の信号線Ｌａに切換接点ｆ，ｇを介して並列接続された抵抗Ｒｘ及びインダクタＬｘの直列回路からなるリレー動作抑止回路１ｂとを具備し、検出回路１ａは切換接点ｆ，ｇを切り換えるためのリレーＲｙ１を備えている。検出回路１ａではダイオードＤ５，Ｄ６を介して取り込んだ電流のレベルを励磁電流に対応した閾値と比較することで信号線Ｌａ，Ｌｂに流れる励磁電流を検出するとともに、何れのダイオードＤ５，Ｄ６が導通するかによって信号線Ｌａ，Ｌｂを流れる電流の向き（通電方向）を検出し、検出結果を示す信号（検出信号）を制御部３に出力している。また、リレー動作抑止回路１ｂは電流検出部１を通過する励磁電流を減衰させてリモコンリレーＲＲのリレー巻線ｒ０が励磁されるのを抑止するものであって、一時点灯の場合には用いられず、遅れ消灯の場合にのみ用いられる。
【００２７】
図４に示すようにリモコンリレー駆動部２は、スイッチ側端子部の端子Ｔ１に共通接点ｃが接続されたリレー接点部ｒ４と、制御部３により制御されてリレーＲｙ２を駆動しリレー接点部ｒ４を切り換える駆動回路２ａと、リレー接点部ｒ４を介してリモコントランスＲＴからリレー巻線ｒ０への通電経路中に挿入されたサイリスタＳＲ３と、リレー接点部ｒ４が接点ｘ側から接点ｙ側へ切り換えられたときにサイリスタＳＲ３をターンオンするターンオン回路とを具備する。このターンオン回路は、リレー接点部ｒ４が接点ｘ側に切り換えられているときに充電され、接点ｙ側に切り換えられたときに放電するコンデンサＣ２、コンデンサＣ２の放電によってオンするトランジスタＴｒ２等で構成される。
【００２８】
さらに詳しく説明すると、コンデンサＣ２の一端が抵抗Ｒ１を介してリレー接点部ｒ４の接点ｘに接続され、コンデンサＣ２の他端と接点ｙとの間にサイリスタＳＲ３が接続される。サイリスタＳＲ３のゲートは、サイリスタＳＲ３と並列に接続された分圧抵抗Ｒ３，Ｒ４、ダイオードＤ１、トランジスタＴｒ２の直列回路における分圧抵抗Ｒ３，Ｒ４の接続点に接続される。さらに、トランジスタＴｒ２のベースは、コンデンサＣ３を介してトランジスタＴｒ２のエミッタに接続されるとともに、ダイオードＤ２と抵抗Ｒ２の直列回路を介して抵抗Ｒ１とコンデンサＣ２の接続点に接続される。また、端子Ｔ１，Ｔ２が電流検出部１を介して端子Ｔ４，Ｔ５に接続され、端子Ｔ３がコンデンサＣ２とサイリスタＳＲ３及びトランジスタＴｒ２のエミッタとの接続点に接続される。
【００２９】
一方、制御部３は論理回路あるいはマイクロコンピュータにより構成され、後述するように機能選択部５で選択設定された機能（一時点灯又は遅れ消灯）を実現するべく、電流検出部１からの検出信号とタイマ部４によるオン時間又は遅れ時間のカウントに基づいてリモコンリレー駆動部２の駆動回路２ａを駆動制御する。機能選択部５は後述する操作部１５を操作することで切り換えられる切換接点イ、ロ（図示せず）を有し、例えば、接点イ側に切り換えられていれば一時点灯、接点ロ側に切り換えられていれば遅れ消灯に設定されているものとして制御部３に認識される。また、時間設定部７は後述する操作部１６を操作することで抵抗値が変化する可変抵抗器からなり、制御部３においては可変抵抗器の抵抗値に応じてオン時間並びに遅れ時間が設定される。
【００３０】
次に、図５〜図８を参照して機能追加装置Ａ１を中心に本実施形態における負荷制御システムの動作を説明する。但し、基本的な動作は従来例と共通であり、共通する点については説明を省略する。
【００３１】
まず、機能選択部５によって一時点灯が選択設定されている場合について説明する。この場合、制御部３は電流検出部１の検出回路１ａを制御してリレーＲｙ１を駆動し、リレー接点を切換接点ｇに切り換えてリレー動作抑止回路１ｂを信号線Ｌａから切り離している。
【００３２】
図５は主接点ｒ０がオフ、つまり負荷Ｌが消灯している状態を示している。このオフ状態では、リモコンリレーＲＲの補助接点ｒ１がダイオードＤｂ側に切り換わっており、リモコントランスＲＴ→機能追加装置Ａ１の端子Ｔ２→機能追加装置Ａ１の端子Ｔ５→ダイオードＤｂ→リレー巻線Ｌ０→機能追加装置Ａ１の端子Ｔ４→機能追加装置Ａ１の端子Ｔ１→スイッチ装置Ｓの接点ｒ２→発光ダイオードＬＤ１及びコンデンサＣ１→リモコントランスＲＴの経路で電流Ｉ１が流れて発光ダイオードＬＤ１が点灯し、負荷Ｌが消灯していることを表示している。また、機能追加装置Ａ１においては、端子Ｔ３→コンデンサＣ２→抵抗Ｒ１→リレー接点部ｒ４の接点ｘ→端子Ｔ１の経路でリモコントランスＲＴから供給される電流Ｉ１’によってコンデンサＣ２が充電される。
【００３３】
このオフ状態からスイッチ装置Ｓの操作部を押操作して接点ｒ２を切り換えると、図６に示すようにコンデンサＣ１の充電電荷が発光ダイオードＬＤ１を介して第１のサイリスタＳＲ１のゲートに放電されるため、第１のサイリスタＳＲ１がターンオンし、リモコントランスＲＴ→機能追加装置Ａ１の端子Ｔ２→機能追加装置Ａ１の端子Ｔ５→ダイオードＤｂ→リレー巻線Ｌ０→機能追加装置Ａ１の端子Ｔ４→機能追加装置Ａ１の端子Ｔ１→スイッチ装置Ｓの接点ｒ２→第１のサイリスタＳＲ１→リモコントランスＲＴの経路で電流Ｉ２が流れ、リモコンリレーＲＲが動作して主接点ｒ０が閉じると同時に補助接点ｒ１がダイオードＤａ側に反転して負荷Ｌがオン（点灯）する。また、機能追加装置Ａ１の電流検出部１では信号線Ｌａ，Ｌｂに流れる電流のレベルを閾値と比較することで上記電流（励磁電流）Ｉ２を検出するとともにその通電方向を検出して検出信号を制御部３に出力する。制御部３では上記検出信号に基づいて負荷Ｌがオフ（消灯）からオン（点灯）に切り換わったことを検知すると、タイマ部４をトリガして時間のカウントを開始させる。
【００３４】
一方、補助接点ｒ２が反転すると、図７に示すようにリモコントランスＲＴ→スイッチ装置ＳのトランジスタＴｒ１→発光ダイオードＬＤ２→接点ｒ２→機能追加装置Ａ１の端子Ｔ１→機能追加装置Ａ１の端子Ｔ４→リレー巻線Ｌ０→ダイオードＤａ→機能追加装置Ａ１の端子Ｔ５→機能追加装置Ａ１の端子Ｔ２→リモコントランスＲＴの経路で電流Ｉ３が流れて発光ダイオードＬＤ２が点灯し、負荷Ｌがオン（点灯）であることを表示している。
【００３５】
そして、タイマ部４のカウント時間が時間設定部７で設定されているオン時間に達する（カウントアップする）と、制御部３が制御信号を出力してリモコンリレー駆動部２の駆動回路２ａによりリレーＲｙ２を駆動させてリレー接点部ｒ４を接点ｘから接点ｙに切り換える。リレー接点部ｒ４が接点ｙに切り換わると、図８に示すようにコンデンサＣ２の充電電荷がトランジスタＴｒ２のエミッタに放電され、この放電電流によってトランジスタＴｒ２が導通する。トランジスタＴｒ２が導通するとトランジスタＴｒ２、ダイオードＤ１並びに分圧抵抗Ｒ４を介してサイリスタＳＲ３のゲートにトランジスタＴｒ２のコレクタ電流が流れるため、サイリスタＳＲ３がターンオンし、リモコントランスＲＴ→端子Ｔ３→サイリスタＳＲ３→リレー接点部ｒ４の接点ｙ→端子Ｔ４→リレー巻線Ｌ０→ダイオードＤａ→端子Ｔ５→端子Ｔ２→リモコントランスＲＴの経路で電流Ｉ５が流れる。この電流Ｉ５はリレー巻線Ｌ０を励磁するのに十分な大きさであるから、リモコンリレーＲＲが動作して主接点ｒ０が開くと同時に補助接点ｒ１がダイオードＤｂ側に反転して負荷Ｌがオフ（消灯）する。つまり、機能追加装置Ａ１の働きにより、スイッチ装置Ｓを操作して負荷Ｌが点灯してから所定のオン時間経過後に自動的に（スイッチ装置Ｓを操作せずに）負荷Ｌを消灯することができ、一時点灯の機能が実現できるものである。なお、オン時間のカウント中にスイッチ装置Ｓが操作された場合には、従来例で説明したようにスイッチ装置Ｓの第２のサイリスタＳＲ２を介して流れる励磁電流Ｉ４でリモコンリレーＲＲが動作して主接点ｒ０が開いて負荷Ｌが消灯し、電流検出部１にて励磁電流Ｉ４が検出されると制御部３がタイマ部４のカウント動作を停止して一時点灯の動作を中断する。また、リモコンリレーＲＲを手動で動作させて負荷Ｌを点灯した場合、電流検出部１では励磁電流Ｉ１を検出しないから、制御部３はタイマ部４をトリガしない。
【００３６】
次に、機能選択部５によって遅れ消灯が選択設定されている場合について説明する。
【００３７】
スイッチ装置ＳによってリモコンリレーＲＲを動作させて負荷Ｌを点灯した場合、機能追加装置Ａ１の電流検出部１がリモコンリレーＲＲを動作させるための励磁電流Ｉ１を検出し、検出回路１ａがリレーＲｙ２を駆動してリレー接点を切換接点ｆに切り換えて信号線Ｌａにリレー動作抑止回路１ｂを接続する。
【００３８】
この点灯状態からスイッチ装置Ｓの操作部を押操作すると第１のサイリスタＳＲ１がターンオンして励磁電流Ｉ４が流れようとするが、機能追加装置Ａ１の信号線Ｌａに接続されているリレー動作抑止回路１ｂによって励磁電流Ｉ４が減衰してリレー巻線Ｌ０を励磁することができず、リモコンリレーＲＲが動作せずに負荷Ｌの点灯状態が保持される。このとき、制御部３では電流検出部１にて励磁電流Ｉ４が検出されるとタイマ部４をトリガして時間のカウントを開始させると同時に検出回路１ａにリレーＲｙ１を駆動させてリレー接点を切換接点ｇに切り換え、信号線Ｌａからリレー動作抑止回路１ｂを切り離す。
【００３９】
そして、タイマ部４のカウント時間が時間設定部７で設定されている遅れ時間に達する（カウントアップする）と、一時点灯のオン時間のカウントアップ時と同様に制御部３がリモコンリレー駆動部２を制御して励磁電流Ｉ５をリレー巻線Ｌ０に流し、リモコンリレーＲＲが動作して主接点ｒ０が開くと同時に補助接点ｒ１がダイオードＤｂ側に反転して負荷Ｌが消灯する。つまり、機能追加装置Ａ１の働きにより、負荷Ｌの点灯中にスイッチ装置Ｓを操作してから所定の遅れ時間経過後に負荷Ｌを消灯することができ、遅れ消灯の機能が実現できるものである。なお、遅れ時間のカウント中にスイッチ装置Ｓが操作された場合には、従来例で説明したようにスイッチ装置Ｓの第２のサイリスタＳＲ２を介して流れる励磁電流Ｉ４でリモコンリレーＲＲが動作して主接点ｒ０が開いて負荷Ｌが消灯し、電流検出部１にて励磁電流Ｉ４が検出されると制御部３がタイマ部４のカウント動作を停止して遅れ消灯の動作を中断する。また、リモコンリレーＲＲを手動で動作させて負荷Ｌを消灯した場合、電流検出部１では励磁電流Ｉ４を検出しないから、制御部３はタイマ部４をトリガしない。
【００４０】
ところで、本実施形態の機能追加装置Ａ１は図９に示すような外観構造を有している。合成樹脂により略箱形に形成された器体１０の内部に上記各部１〜７が納装される。器体１０の上部には上方及び前方へ開口する凹所１０ａが形成され、凹所１０ａの底面には端子ねじ１２及び端子板１３からなるねじ締め式の端子Ｔ１〜Ｔ３が設けてある。なお、各端子Ｔ１〜Ｔ３間の絶縁を確保するため、各端子Ｔ１〜Ｔ３の間には凹所１０ａの底面から絶縁壁１１が立設されている。
【００４１】
また、器体１０の背面にはリモコンリレーＲＲのケース１００に形成された段部１０４と係合する係合部１０ｂが形成され、係合部１０ｂの上方である背面側の上部には略コ字型の２つの端子板１４が背面に略直交するように背方へ向けて突設されており、これら２つの端子板１４がリレー側端子部の端子Ｔ４，Ｔ５となる。
【００４２】
さらに、器体１０前面の凹所１０ａの下側には、機能選択部５の操作部１５並びに時間設定部７の操作部１６が設けてある。すなわち、機能選択部５の操作部１５は機能選択部５を構成するスライドスイッチを操作するものであって、器体１０の前面下部に形成された操作溝１０ｃ内でスライド自在に設けてある。なお、操作溝１０ｃの下部両側には選択可能な機能（一時点灯及び遅れ消灯）の文字が記されており、操作部１５を各文字の方へスライドさせることで各文字で表された機能が選択されるようにしてある。また、時間設定部７の操作部１６は時間設定部７を構成する可変抵抗器の抵抗値を変化させるものであって、略円形に形成されて器体１０の前面下部に回動自在に配設される。操作部１６の前面には略十字型の溝１６ａが形成されており、この溝１６ａにドライバの先端を挿入してドライバを回すことで操作部１６の回動が可能となっている。なお、器体１０前面の操作部１６の周囲には操作部１６によって設定されるオン時間又は遅れ時間の目安となる数字が記されており、操作部１６を操作して溝１６ａを各数字に合わせることで各数字で表されたオン時間又は遅れ時間に設定されるようにしてある。このように機能選択部５及び時間設定部７の操作部１５，１６を器体１０の表面に露設しているため、各操作部１５，１６が操作し易くなるものである。
【００４３】
一方、リモコンリレーＲＲは図１０に示すような外観構造を有し、日本工業規格（ＪＩＳ）で規格化された電灯分電盤用協約形配線用遮断器（ＪＩＳ  Ｃ  ８３７０  附属書５参照）の寸法（以下、「分電盤協約寸法」という）に形成されたケース１００を備えている。ケース１００の長手方向の一端側に補助接点ｒ２やリレー巻線Ｌ０に接続された一対の信号端子Ｔａ，Ｔｂが設けられ、他端側に主接点ｒ０に接続された一対の接続端子Ｔｃ，Ｔｄが設けられている。また、ケース１００の上面には主接点ｒ０を手動で開閉するための操作ハンドル１０３が設けられている。さらに、ケース１００の信号端子Ｔａ，Ｔｂが設けられている側の端面には側方へ突出する段部１０４が形成されている。つまり、信号端子Ｔａ，Ｔｂの下側に別の端子が設けられた場合に、段部１０４の部位に別の端子を設けることでケース１００の上部側から下側の端子が締め付け可能となる。なお、リモコンリレーＲＲの詳細な構造は従来周知であるから図示並びに説明を省略する。
【００４４】
而して、本実施形態の機能追加装置Ａ１は、図１０に示すように器体１０の背面に突設された端子板１４，１４からなる端子Ｔ４，Ｔ５を信号端子Ｔａ，Ｔｂに接続することでリモコンリレーＲＲに機械的及び電気的に接続される。また、このときに器体１０背面の係合部１０ｂがケース１００の段部１０４と係合することでケース１００に対する器体１０のがたつきを防ぐことができる。
【００４５】
本実施形態は上述のように構成されるものであるから、従来の負荷制御システムに一時オン（一時点灯）や遅れオフ（遅れ消灯）の新たな機能を簡単に追加することができる。しかも、器体１０に突設された端子板１４，１４をリモコンリレーＲＲの信号端子Ｔａ，Ｔｂに直接接続する構成であるから、リモコンリレーＲＲの設置場所（分電盤やリレー制御盤など）に配設する際にスペースを効率的に利用することができ、また、スイッチ装置Ｓが多回路用の場合であっても任意の１回路に簡単に機能を追加することができるという利点がある。また、機能選択部５を具備することで１台の機能追加装置Ａ１にて複数の機能を選択することができため、使い勝手が向上するという利点がある。さらに、時間設定部７を具備することにより、用途や使用状況に応じて適切なオン時間や遅れ時間を設定することができ、これによっても使い勝手が向上するという利点がある。しかも、本実施形態ではリモコンリレーＲＲを駆動するための励磁電流をリモコントランスＲＴの供給電流から得ているので、励磁電流用に新たな電源の追加が不要になるという利点がある。
【００４６】
ところで、機能選択部５及び時間設定部７は必ずしも具備する必要はなく、図１１に示すように機能選択部５と時間設定部７の両方を省略して操作部１５，１６を有しない器体１０を形成してもよい。あるいは、図１２に示すように時間設定部７のみを具備して操作部１６だけを器体１０に設けるようにしたり、その反対に、図１３に示すように機能選択部５のみを具備して操作部１５だけを器体１０に設けてもよい。
【００４７】
（実施形態２）
図１４は本実施形態の機能追加装置Ａ２を示すブロック図であり、図１５は本実施形態を含む負荷制御システムのシステム構成の一例を示す構成図である。而して、実施形態１の機能追加装置Ａ１がリモコントランスＲＴから供給される交流電流を励磁電流としてリモコンリレーＲＲを駆動するのに対し、本実施形態の機能追加装置Ａ２は励磁電流を供給してリモコンリレーＲＲを駆動するための駆動電源たる電源蓄積部８を備えた点に特徴がある。但し、基本的な構成は実施形態１と共通であるから、共通する構成については同一の符号を付して説明を省略する。
【００４８】
機能追加装置Ａ２は、図１４に示すように電流検出部１、リモコンリレー駆動部２’、制御部３、タイマ部４、機能選択部５、電源回路部６’、時間設定部７並びに電源蓄積部８を具備する。また、電流検出部１にはスイッチ側端子部の端子Ｔ１を介してスイッチ装置Ｓの接続端子Ｔｍが接続されるとともに端子Ｔ２を介してリモコントランスＲＴの出力端子Ｔｏが接続され、リモコンリレー駆動部２’にはリレー側端子部の一対の端子Ｔ４，Ｔ５を介してリモコンリレーＲＲの信号端子Ｔａ，Ｔｂがそれぞれ接続される（図１５参照）。なお、電源回路部６’はリモコントランスＲＴからスイッチ装置Ｓ、機能追加装置Ａ２並びにリモコンリレーＲＲからなる閉ループに定常的に流れる電流（発光ダイオードＬＤ１，ＬＤ２を点灯する電流）により各部の動作電源を作成するものである。
【００４９】
電源蓄積部８は、図１６に示すように上記閉ループに流れる電流を信号線ＬａからダイオードＤ７，Ｄ８を介して取り込むとともにコンデンサ等の電荷蓄積要素を有する蓄積回路８ａに電荷を蓄積しており、蓄積回路８ａに蓄積された電荷を励磁電流の電源とする。また、リモコンリレー駆動部２’は蓄積回路８ａの出力端子と信号線Ｌａとの間にダイオードＤ９を介して接続された接点部ｒ５と、制御部３から与えられる制御信号により動作して接点部ｒ５を開閉するリレーＲｙ３を駆動する駆動回路２ａ’とを具備する。すなわち、リモコンリレー駆動部２’ではリレーＲｙ３を駆動して接点部ｒ５を閉じることで蓄積回路８ａに蓄積された電荷を信号線Ｌａに放出することでリモコンリレーＲＲに励磁電流を供給するのである。
【００５０】
次に本実施形態の機能追加装置Ａ２の動作を説明する。
【００５１】
まず、機能選択部５によって一時点灯が選択設定されている場合、制御部３は電流検出部１の検出回路１ａを制御してリレーＲｙ１を駆動し、リレー接点を切換接点ｇに切り換えてリレー動作抑止回路１ｂを信号線Ｌａから切り離している。この状態でスイッチ装置Ｓが操作されてリモコンリレーＲＲが駆動されることにより負荷Ｌが点灯すると、電流検出部１では信号線Ｌａ，Ｌｂに流れる電流のレベルを閾値と比較することで励磁電流Ｉ２を検出するとともにその通電方向を検出して検出信号を制御部３に出力する。制御部３では上記検出信号に基づいて負荷Ｌがオフ（消灯）からオン（点灯）に切り換わったことを検知すると、タイマ部４をトリガして時間のカウントを開始させる。
【００５２】
そして、タイマ部４のカウント時間が時間設定部７で設定されているオン時間に達すると、制御部３が制御信号を出力してリモコンリレー駆動部２’の駆動回路２ａ’がリレーＲｙ３を駆動して接点部ｒ５を閉じ、蓄積回路８ａに蓄積された電荷を信号線Ｌａに放出することでリモコンリレーＲＲに励磁電流を供給する。これにより、リモコンリレーＲＲが動作して主接点ｒ０が開いて負荷Ｌが消灯する。つまり、機能追加装置Ａ２の働きにより、スイッチ装置Ｓを操作して負荷Ｌが点灯してから所定のオン時間経過後に自動的に（スイッチ装置Ｓを操作せずに）負荷Ｌを消灯することができ、一時点灯の機能が実現できるものである。なお、オン時間のカウント中にスイッチ装置Ｓが操作された場合には、従来例で説明したようにスイッチ装置Ｓの第２のサイリスタＳＲ２を介して流れる励磁電流Ｉ４でリモコンリレーＲＲが動作して主接点ｒ０が開いて負荷Ｌが消灯し、電流検出部１にて励磁電流Ｉ４が検出されると制御部３がタイマ部４のカウント動作を停止して一時点灯の動作を中断する。また、リモコンリレーＲＲを手動で動作させて負荷Ｌを点灯した場合、電流検出部１では励磁電流Ｉ２を検出しないから、制御部３はタイマ部４をトリガしない。
【００５３】
次に、機能選択部５によって遅れ消灯が選択設定されている場合について説明する。この場合、スイッチ装置ＳによってリモコンリレーＲＲを動作させて負荷Ｌを点灯すると、機能追加装置Ａ２の電流検出部１がリモコンリレーＲＲを動作させるための励磁電流Ｉ２を検出し、検出回路１ａがリレーＲｙ２を駆動してリレー接点を切換接点ｆに切り換えて信号線Ｌａにリレー動作抑止回路１ｂを接続する。この点灯状態からスイッチ装置Ｓの操作部を押操作すると励磁電流Ｉ４が流れようとするが、機能追加装置Ａ２の信号線Ｌａに接続されているリレー動作抑止回路１ｂによって励磁電流Ｉ４が減衰してリレー巻線Ｌ０を励磁することができず、リモコンリレーＲＲが動作せずに負荷Ｌの点灯状態が保持される。このとき、制御部３では電流検出部１にて励磁電流Ｉ４が検出されるとタイマ部４をトリガして時間のカウントを開始させると同時に検出回路１ａにリレーＲｙ２を駆動させてリレー接点を切換接点ｇに切り換え、信号線Ｌａからリレー動作抑止回路１ｂを切り離す。
【００５４】
そして、タイマ部４のカウント時間が時間設定部７で設定されている遅れ時間に達すると、一時点灯のオン時間のカウントアップ時と同様に制御部３が制御信号を出力してリモコンリレー駆動部２’から電源蓄積部８を電源としてリモコンリレーＲＲに励磁電流を供給し、リモコンリレーＲＲを動作させて主接点ｒ０を開き、負荷Ｌを消灯する。つまり、機能追加装置Ａ２の働きにより、負荷Ｌの点灯中にスイッチ装置Ｓを操作してから所定の遅れ時間経過後に負荷Ｌを消灯することができ、遅れ消灯の機能が実現できるものである。なお、遅れ時間のカウント中にスイッチ装置Ｓが操作された場合には、従来例で説明したようにスイッチ装置Ｓの第２のサイリスタＳＲ２を介して流れる励磁電流Ｉ４でリモコンリレーＲＲが動作して主接点ｒ０が開いて負荷Ｌが消灯し、電流検出部１にて励磁電流Ｉ４が検出されると制御部３がタイマ部４のカウント動作を停止して遅れ消灯の動作を中断する。また、リモコンリレーＲＲを手動で動作させて負荷Ｌを消灯した場合、電流検出部１では励磁電流Ｉ４を検出しないから、制御部３はタイマ部４をトリガしない。
【００５５】
一方、本実施形態の機能追加装置Ａ２は図１７に示すような外観構造を有しており、器体１０の凹所１０ａ底面には端子ねじ１２及び端子板１３からなるねじ締め式の端子Ｔ１，Ｔ２が段違いに設けられている。但し、これ以外の構造は実施形態１と同一であるから詳しい説明は省略する。
【００５６】
本実施形態は上述のように構成されるものであり、励磁電流を供給してリモコンリレーＲＲを駆動するための電源蓄積部８を備えたので、実施形態１のようにリモコントランスＲＴから励磁電流用の電源供給を受ける必要がないから、端子構造等の簡素化が図れるという利点がある。
【００５７】
ところで、本実施形態においても機能選択部５及び時間設定部７は必ずしも具備する必要はなく、図１８に示すように機能選択部５と時間設定部７の両方を省略して操作部１５，１６を有しない器体１０を形成してもよい。あるいは、図１９に示すように時間設定部７のみを具備して操作部１６だけを器体１０に設けるようにしたり、その反対に、図２０に示すように機能選択部５のみを具備して操作部１５だけを器体１０に設けてもよい。
【００５８】
（実施形態３）
本実施形態の機能追加装置Ａ３は実施形態１と同一の回路構成を有するものであって、図２１に示すように分電盤協約寸法に形成された器体２０を備えている。
【００５９】
器体２０は全体が略凸形に形成され、突台部２１の長手方向の一端側に端子ねじ２２及び端子板２３からなるねじ締め式の端子Ｔ１〜Ｔ３が設けられ、他端側には端子ねじ２２及び端子板２３からなるねじ締め式の端子Ｔ４，Ｔ５が設けられている。また、各端子Ｔ１〜Ｔ３間並びに端子Ｔ４，Ｔ５間には絶縁を確保するために絶縁壁２４が立設されている。さらに、突台部２１上面の長手方向略中央には凹所２１ａが形成されており、この凹所２１ａの底面に機能選択部５の操作部２５並びに時間設定部７の操作部２６が設けてある。
【００６０】
機能選択部５の操作部２５は実施形態１における操作部１５と同一の構造を有し、凹所２１ａ底面に形成された操作溝２１ｂ内でスライド自在に設けてある。なお、操作溝２１ｂの近傍には選択可能な機能（一時点灯及び遅れ消灯）の文字が記されている。また、時間設定部７の操作部２６も実施形態１における操作部１６と同一の構造を有し、凹所２１ａ底面に回動自在に配設される。なお、凹所２１ａ底面の操作部２６の周囲には操作部２６によって設定されるオン時間又は遅れ時間の目安となる数字が記されている。このように機能選択部５及び時間設定部７の操作部２５，２６を器体２０の表面に露設しているため、各操作部２５，２６が操作し易くなるものである。
【００６１】
而して、本実施形態の機能追加装置Ａ３は分電盤協約寸法に形成された器体２０を備えているから、リモコンリレーＲＲとともにリレー制御盤に配設することができるとともに、スイッチ装置Ｓが多回路用の場合であっても任意の１回路に簡単に機能を追加することができるという利点がある。
【００６２】
なお、機能選択部５及び時間設定部７は必ずしも具備する必要はなく、図２２に示すように機能選択部５と時間設定部７の両方を省略して操作部２５，２６を有しない器体２０を形成してもよい。あるいは、図２３に示すように時間設定部７のみを具備して操作部２６だけを器体２０に設けるようにしたり、その反対に、機能選択部５のみを具備して操作部２５だけを器体２０に設けてもよい。
【００６３】
（実施形態４）
本実施形態の機能追加装置Ａ４は実施形態２と同一の回路構成を有するものであって、図２４に示すように分電盤協約寸法に形成された器体２０を備えている。但し、器体２０は実施形態３の機能追加装置Ａ３の器体２０とほぼ同一の構造であって、突台部２１の長手方向一端側に２つの端子Ｔ１，Ｔ２が設けられている点のみが異なる。よって、これ以外の構造については実施形態３と同一の符号を付して説明を省略する。
【００６４】
而して、本実施形態の機能追加装置Ａ４も分電盤協約寸法に形成された器体２０を備えているから、リモコンリレーＲＲとともにリレー制御盤に配設することができるとともに、スイッチ装置Ｓが多回路用の場合であっても任意の１回路に簡単に機能を追加することができるという利点がある。
【００６５】
なお、機能選択部５及び時間設定部７は必ずしも具備する必要はなく、図２５に示すように機能選択部５と時間設定部７の両方を省略して操作部２５，２６を有しない器体２０を形成してもよい。あるいは、図２６に示すように時間設定部７のみを具備して操作部２６だけを器体２０に設けるようにしたり、その反対に、機能選択部５のみを具備して操作部２５だけを器体２０に設けてもよい。
【００６６】
（実施形態５）
図２７は本実施形態の機能追加装置Ａ５を示すブロック図であり、図２８は本実施形態を含む負荷制御システムのシステム構成の一例を示す構成図である。而して、実施形態１の機能追加装置Ａ１がリモコンリレーＲＲに直接接続されるのに対し、本実施形態の機能追加装置Ａ５はリモコントランスＲＴを介してリモコンリレーＲＲに接続され、且つスイッチ装置Ｓに直接接続される回路構成としている。但し、これ以外の基本的な回路構成は実施形態１と共通であるから、共通する構成については同一の符号を付して説明を省略する。
【００６７】
而して、本実施形態の機能追加装置Ａ５は、図２９に示すように端子Ｔ２，Ｔ５の代わりに端子Ｔ３と送り配線された端子Ｔ６を設けた点が回路構成上で実施形態１の機能追加装置Ａ１と異なるだけでリモコンリレー駆動部２や電流検出部１の回路構成は共通である。よって、本実施形態における負荷制御システムの動作も実施形態１のものと共通であるから説明は省略する。
【００６８】
一方、本実施形態の機能追加装置Ａ５は図３０に示すような外観構造を有している。合成樹脂製の器体３０は金属製の組立枠３１，３１によりボディとカバーを結合して構成されており、ＪＩＳで規格化された大角形連用配線器具の１個モジュール寸法（ＪＩＳ  Ｃ  ８３７５参照）に形成されている。器体３０の前面略中央にはボス部３２が突設されており、このボス部３２の前面に機能選択部５の操作部１５並びに時間設定部７の操作部１６が設けられている。なお、２つの操作部１５，１６の構造は実施形態１のものと共通であるから説明は省略する。また、器体３０背面の四隅にはねじ締め式の端子Ｔ１，Ｔ３，Ｔ４，Ｔ６が設けられている。さらに、組立枠３１には、図示しない大角形連用配線器具の合成樹脂製の取付枠（ＪＩＳ  Ｃ  ８３７５参照）が具備する係止孔に係止する一対の係止爪３１ａ，３１ａ、並びに図示しない大角形連用配線器具の金属製の取付枠（ＪＩＳ  Ｃ  ８３７５参照）が具備する固着用爪部が係合する係合孔３１ｂが形成してあり、係止爪３１ａ，３１ａ又は係合孔３１ｂを使って合成樹脂製又は金属製の取付枠に取り付けることができる。
【００６９】
ここで、スイッチ装置Ｓも大角形連用配線器具の１個モジュール寸法に形成されており、図３１に示すように機能追加装置Ａ５とスイッチ装置Ｓを同じ取付枠に連接して取り付けることができる。なお、取付枠の前面側にはプレート枠４０が取り付けられ、さらにプレート枠４０の前面側に化粧プレート４１が取り付けられる。化粧プレート４１には略中央にボス部の前面を露出する開口窓４１ａが設けてあり、この開口窓４１ａを通してスイッチ装置Ｓの操作部５０並びに負荷Ｌの状態を表示する発光ダイオードＬＤ１，ＬＤ２が外部に臨ませてある。但し、機能追加装置Ａ５は化粧プレート４１によって覆い隠されるため、機能選択部５の操作部１５や時間設定部７の操作部１６を操作する場合には化粧プレート４１をプレート枠４０から取り外す必要がある。
【００７０】
本実施形態は上述のように構成されるものであって、例えば、リレー制御盤内に機能追加装置Ａ１〜Ａ４を配設するスペースがない場合であっても、スイッチ装置Ｓとともに本実施形態の機能追加装置Ａ５を取付枠に取り付けて施工することができ、施工作業が容易になるとともにスペースを効率的に利用することができるという利点がある。
【００７１】
ところで、本実施形態においても機能選択部５及び時間設定部７は必ずしも具備する必要はなく、図３２に示すように機能選択部５と時間設定部７の両方をボス部３２から省略して操作部１５，１６を有しない器体３０を形成してもよい。あるいは、図３３に示すように時間設定部７のみを具備して操作部１６だけを器体３０のボス部３２に設けるようにしたり、その反対に、機能選択部５のみを具備して操作部１５だけを器体３０に設けてもよい。
【００７２】
【発明の効果】
請求項１の発明は、リレー巻線を励磁することで電源から負荷への給電経路に挿入される主接点を開閉し且つ主接点に連動する補助接点によりリレー巻線の通電方向を切り換えるリモコンリレーと、リレー巻線に交流電流を供給する電源装置と、手動で操作可能な操作部を有し操作部の操作に応じてリレー巻線に励磁電流を流すスイッチ装置とを備えた負荷制御システムに用いられ、電源装置からリレー巻線への通電方向並びにリレー巻線の励磁電流を検出する検出手段と、リレー巻線に励磁電流を流してリモコンリレーを駆動する駆動手段と、検出手段の検出結果に基づいてリレー巻線に励磁電流を流すように駆動手段を制御する制御手段とを具備するので、検出手段で検出するリレー巻線への通電方向並びにリレー巻線の励磁電流の検出結果に基づき、制御手段が駆動手段を制御してリレー電流に励磁電流を流すため、スイッチ装置によらずに負荷への給電を停止したり、あるいはスイッチ装置の操作のタイミングと実際に負荷への給電を開始又は停止するタイミングとをずらすといったような新たな機能を、従来の負荷制御システムに簡単に追加することができるという効果がある。
【００７３】
請求項２の発明は、請求項１の発明において、制御手段は、スイッチ装置によってリレー巻線に励磁電流を流して電源から負荷への給電が開始された時点から所定のオン時間が経過した後に駆動手段を制御してリレー巻線に励磁電流を流すことで電源から負荷への給電を停止する一時オン動作を行うので、従来の負荷制御システムに一時オン動作の機能を簡単に追加することができるという効果がある。
【００７４】
請求項３の発明は、請求項１又は２の発明において、制御手段は、電源から負荷への給電中にスイッチ装置によってリレー巻線に励磁電流を流す操作が行われた場合に励磁電流がリレー巻線に流れるのを阻止し、スイッチ装置で上記操作が行われた時点から所定の遅れ時間が経過した後に駆動手段を制御してリレー巻線に励磁電流を流して電源から負荷への給電を停止する遅れオフ動作を行うので、従来の負荷制御システムに遅れオフ動作の機能を簡単に追加することができるという効果がある。
【００７５】
請求項４の発明は、請求項１の発明において、制御手段は、スイッチ装置によってリレー巻線に励磁電流を流して電源から負荷への給電が開始された時点から所定のオン時間が経過した後に駆動手段を制御してリレー巻線に励磁電流を流すことで電源から負荷への給電を停止する一時オン動作と、電源から負荷への給電中にスイッチ装置によってリレー巻線に励磁電流を流す操作が行われた場合に励磁電流がリレー巻線に流れるのを阻止し、スイッチ装置で上記操作が行われた時点から所定の遅れ時間が経過した後に駆動手段を制御してリレー巻線に励磁電流を流して電源から負荷への給電を停止する遅れオフ動作との何れか一方が実行可能であって、制御手段が行う動作を、一時オン動作又は遅れオフ動作に選択して設定する選択手段を備えたので、従来の負荷制御システムに一時オン動作又は遅れオフ動作の機能を簡単に追加することができるとともに、１台で一時オン動作又は遅れオフ動作を選択して行うことができるために使い勝手が向上するという効果がある。
【００７６】
請求項５の発明は、請求項２又は３又は４の発明において、オン時間又は遅れ時間を可変して設定する時間設定手段を備えたので、用途や使用状況に応じて適切なオン時間又は遅れ時間を設定することができるために使い勝手が向上するという効果がある。
【００７７】
請求項６の発明は、請求項１〜５の何れかの発明において、駆動手段は、電源装置から供給される電流を励磁電流とするので、従来の電源装置を利用することで新たな電源の追加が不要になるという効果がある。
【００７８】
請求項７の発明は、請求項１〜５の何れかの発明において、励磁電流を供給してリモコンリレーを駆動するための駆動電源を備えたので、別途電源を接続する必要がないから端子構造等の簡素化が図れるという効果がある。
【００７９】
請求項８の発明は、請求項１〜７の何れかの発明において、各手段を納装する器体に、リレー巻線への通電経路と接続されたリモコンリレーの信号端子に直接接続されるリレー側端子部、並びにスイッチ装置が接続されるスイッチ側端子部を設けたので、リモコンリレーの設置場所に配設する際にスペースを効率的に利用することができ、また、スイッチ装置が多回路用の場合であっても任意の１回路に簡単に機能を追加することができるという効果がある。
【００８０】
請求項９の発明は、請求項８の発明において、リモコンリレーのケースに形成された段部と係合する係合部を器体に設けたので、リモコンリレーのケースに対する器体のがたつきを防ぐことができるという効果がある。
【００８１】
請求項１０の発明は、請求項１〜７の何れかの発明において、各手段を納装する器体を、規格化された分電盤協約寸法に形成したので、リモコンリレーとともにリレー制御盤に配設することができ、スイッチ装置が多回路用の場合であっても任意の１回路に簡単に機能を追加することができるという効果がある。
【００８２】
請求項１１の発明は、請求項１〜７の何れかの発明において、各手段を納装する器体を、規格化された大角形連用配線器具の取付枠に取付可能としたので、例えば、スイッチ装置が大角形連用配線器具の取付枠に取付可能であれば、スイッチ装置とともに取付枠に取り付けて施工することができ、施工作業が容易になるとともにスペースを効率的に利用することができるという効果がある。
【００８３】
請求項１２の発明は、請求項４又は８又は１０又は１１の発明において、各手段を納装する器体の表面に選択手段の操作部を露設したので、選択手段の操作部が操作し易くなるという効果がある。
【００８４】
請求項１３の発明は、請求項５又は８又は１０又は１１各手段を納装する器体の表面に時間設定手段の操作部を露設したので、時間設定手段の操作部が操作し易くなるという効果がある。
【図面の簡単な説明】
【図１】実施形態１を示すブロック図である。
【図２】同上を含む負荷制御システムのシステム構成図である。
【図３】同上における電流検出部の概略回路構成図である。
【図４】同上におけるリモコンリレー駆動部の概略回路構成図である。
【図５】同上の動作説明図である。
【図６】同上の動作説明図である。
【図７】同上の動作説明図である。
【図８】同上の動作説明図である。
【図９】同上を示し、（ａ）は正面図、（ｂ）は側面図、（ｃ）は背面図、（ｄ）は上面図である。
【図１０】同上のリモコンリレーに接続した状態を示し、（ａ）は上面図、（ｂ）は側面図、（ｃ）は正面図、（ｄ）は背面図である。
【図１１】同上の他の構造を示し、（ａ）は正面図、（ｂ）は側面図、（ｃ）は背面図、（ｄ）は上面図である。
【図１２】同上のさらに他の構造を示し、（ａ）は正面図、（ｂ）は側面図、（ｃ）は背面図、（ｄ）は上面図である。
【図１３】同上のさらにまた他の構造を示す正面図である。
【図１４】実施形態２を示すブロック図である。
【図１５】同上を含む負荷制御システムのシステム構成図である。
【図１６】同上における電流検出部、リモコンリレー駆動部２並びに電源蓄積部の概略回路構成図である。
【図１７】同上を示し、（ａ）は正面図、（ｂ）は側面図、（ｃ）は背面図、（ｄ）は上面図である。
【図１８】同上の他の構造を示し、（ａ）は正面図、（ｂ）は側面図、（ｃ）は背面図、（ｄ）は上面図である。
【図１９】同上のさらに他の構造を示し、（ａ）は正面図、（ｂ）は側面図、（ｃ）は背面図、（ｄ）は上面図である。
【図２０】同上のさらにまた他の構造を示す正面図である。
【図２１】実施形態３を示し、（ａ）は上面図、（ｂ）は正面図、（ｃ）は側面図である。
【図２２】同上の他の構造を示し、（ａ）は上面図、（ｂ）は正面図、（ｃ）は側面図である。
【図２３】同上のさらに他の構造を示し、（ａ）は上面図、（ｂ）は正面図、（ｃ）は側面図である。
【図２４】実施形態４を示し、（ａ）は上面図、（ｂ）は正面図、（ｃ）は側面図である。
【図２５】同上の他の構造を示し、（ａ）は上面図、（ｂ）は正面図、（ｃ）は側面図である。
【図２６】同上のさらに他の構造を示し、（ａ）は上面図、（ｂ）は正面図、（ｃ）は側面図である。
【図２７】実施形態５を示すブロック図である。
【図２８】同上を含む負荷制御システムのシステム構成図である。
【図２９】同上におけるリモコンリレー駆動部２の概略回路構成図である。
【図３０】同上を示し、（ａ）は正面図、（ｂ）は側面図、（ｃ）は背面図である。
【図３１】同上の施工状態を示し、（ａ）は正面図、（ｂ）は側面図である。
【図３２】同上の他の構造を示し、（ａ）は正面図、（ｂ）は側面図、（ｃ）は背面図である。
【図３３】同上のさらに他の構造を示し、（ａ）は正面図、（ｂ）は側面図、（ｃ）は背面図である。
【図３４】従来の負荷制御システムの動作説明図である。
【図３５】同上の動作説明図である。
【図３６】同上の動作説明図である。
【図３７】同上の動作説明図である。
【符号の説明】
１  電流検出部
２  リモコンリレー駆動部
３  制御部
４  タイマ部
５  機能選択部
６  電源回路部
７  時間設定部
【図１】
0003818038.tif 000002
【図２】
0003818038.tif 000003
【図３】
0003818038.tif 000004
【図４】
0003818038.tif 000005
【図５】
0003818038.tif 000006
【図６】
0003818038.tif 000007
【図７】
0003818038.tif 000008
【図８】
0003818038.tif 000009
【図９】
0003818038.tif 000010
【図１０】
0003818038.tif 000011
【図１１】
0003818038.tif 000012
【図１２】
0003818038.tif 000013
【図１３】
0003818038.tif 000014
【図１４】
0003818038.tif 000015
【図１５】
0003818038.tif 000016
【図１６】
0003818038.tif 000017
【図１７】
0003818038.tif 000018
【図１８】
0003818038.tif 000019
【図１９】
0003818038.tif 000020
【図２０】
0003818038.tif 000021
【図２１】
0003818038.tif 000022
【図２２】
0003818038.tif 000023
【図２３】
0003818038.tif 000024
【図２４】
0003818038.tif 000025
【図２５】
0003818038.tif 000026
【図２６】
0003818038.tif 000027
【図２７】
0003818038.tif 000028
【図２８】
0003818038.tif 000029
【図２９】
0003818038.tif 000030
【図３０】
0003818038.tif 000031
【図３１】
0003818038.tif 000032
【図３２】
0003818038.tif 000033
【図３３】
0003818038.tif 000034
【図３４】
0003818038.tif 000035
【図３５】
0003818038.tif 000036
【図３６】
0003818038.tif 000037
【図３７】
0003818038.tif 000038